(57)【要約】【課題】  移動体通信システムにおける電界品質の測定を好適に行うことが可能な移動体通信の電界品質監視システムを提供する。【解決手段】  移動体通信の電界品質に関する監視を行う監視制御装置Ｓ、移動体通信のカバー領域に配置され、監視制御装置Ｓからの指令に応じて電界品質に関する測定を行い、測定結果を監視制御装置Ｓに送信する測定機Ａとを備える。測定機Ａは、電界品質に関する測定結果を一時的に保存するメモリＡ１を備え、該メモリＡ１に保存された測定結果を、監視制御装置Ｓにより指令されたタイミングで該監視制御装置Ｓに送信する。【選択図】    図１
2007266906.tif 000002
【特許請求の範囲】
【請求項１】
移動体通信の電界品質に関する監視を行う監視制御装置と、
移動体通信のカバー領域に配置され、前記監視制御装置からの指令に応じて電界品質に関する測定を行い、その測定結果を前記監視制御装置に送信する測定機と、
を備えることを特徴とする移動体通信の電界品質監視システム。
【請求項２】
前記監視制御装置は、前記測定結果を前記測定機から該監視制御装置に送信すべきタイミングを前記測定機に指令する一方で、
前記測定機は、電界品質に関する測定結果を一時的に保存するメモリを備え、該メモリに保存された測定結果を、前記監視制御装置により指令されたタイミングで該監視制御装置に送信することを特徴とする請求項１に記載の移動体通信の電界品質監視システム。
【請求項３】
前記監視制御装置は、通信トラフィック状態に応じて、前記測定結果を前記測定機から該監視制御装置に送信すべきタイミングを決定し、該タイミングを前記測定機に指令することを特徴とする請求項２に記載の移動体通信の電界品質監視システム。
【請求項４】
前記監視制御装置は、前記測定機に対する指令を基地局を介して前記測定機に送信し、
前記基地局は、前記監視制御装置から前記測定機への指令に関する情報を、下り送信キャリア電波の空き領域に時間多重化して前記測定機に送信することを特徴とする請求項１乃至３の何れか一項に記載の移動体通信の電界品質監視システム。
【請求項５】
前記測定機は、電界品質に関する複数種類の測定を実行可能に構成され、複数種類の測定のうち前記監視制御装置により指定された測定を実行することを特徴とする請求項１乃至４の何れか一項に記載の移動体通信の電界品質監視システム。
【請求項６】
移動体通信の電界品質に関する監視を行う監視制御装置と、
移動体通信のカバー領域に配置され、前記監視制御装置からの指令に応じて電界品質に関する測定を行い、その測定結果を前記監視制御装置に送信する測定機と、
を備える移動体通信の電界品質監視システムにおける前記監視制御装置であって、
前記測定結果を前記測定機から該監視制御装置に送信すべきタイミングを前記測定機に指令するように構成されていることを特徴とする監視制御装置。
【請求項７】
通信トラフィック状態に応じて、前記測定結果を前記測定機から当該監視制御装置に送信すべきタイミングを決定し、該タイミングを前記測定機に指令するように構成されていることを特徴とする請求項６に記載の監視制御装置。
【請求項８】
請求項４に記載の移動体通信の電界品質監視システムにおける前記基地局であって、
前記監視制御装置から前記測定機への指令に関する情報を、下り送信キャリア電波の空き領域に時間多重化する時間多重化手段を備えることを特徴とする基地局。
【請求項９】
移動体通信の電界品質に関する監視を行う監視制御装置と、
移動体通信のカバー領域に配置され、前記監視制御装置からの指令に応じて電界品質に関する測定を行い、その測定結果を前記監視制御装置に送信する測定機と、
を備える移動体通信の電界品質監視システムにおける前記測定機であって、
電界品質に関する測定結果を一時的に保存するメモリを備え、該メモリに保存された測定結果を、前記監視制御装置により指令されたタイミングで該監視制御装置に送信するように構成されていることを特徴とする測定機。
【請求項１０】
請求項４に記載の移動体通信の電界品質監視システムにおける前記測定機であって、
下り送信キャリア電波の空き領域に時間多重化された指令に関する情報を、該下り送信キャリア電波より分離させる分離手段を備えることを特徴とする測定機。
【請求項１１】
移動体通信の電界品質に関する監視を行う監視制御装置が、移動体通信のカバー領域に配置された測定機に対し、移動体通信の電界品質に関する測定を実行させる指令を送信する第１の過程と、
前記測定機が、前記監視制御装置からの指令に応じて電界品質に関する測定を行う第２の過程と、
前記測定機が、電界品質に関する測定により得られた測定結果を前記監視制御装置に送信する第３の過程と、
を備えることを特徴とする移動体通信の電界品質監視方法。
【請求項１２】
前記第１の過程により送信される指令には、前記測定結果を前記測定機から該監視制御装置に送信すべきタイミングの指令が含まれ、
前記測定機は、電界品質に関する測定結果を一時的に保存し、該メモリに保存された測定結果を、前記監視制御装置により指令されたタイミングで該監視制御装置に送信することを特徴とする請求項１１に記載の移動体通信の電界品質監視方法。
【請求項１３】
前記監視制御装置は、通信トラフィック状態に応じて、前記測定結果を前記測定機から該監視制御装置に送信すべきタイミングを決定し、該タイミングを前記測定機に指令することを特徴とする請求項１２に記載の移動体通信の電界品質監視方法。
【請求項１４】
前記監視制御装置は、前記測定機に対する指令を基地局を介して前記測定機に送信するものであり、
前記基地局は、前記監視制御装置から前記測定機への指令に関する情報を、下り送信キャリア電波の空き領域に時間多重化して前記測定機に送信することを特徴とする請求項１１乃至１３の何れか一項に記載の移動体通信の電界品質監視方法。
【発明の詳細な説明】
【技術分野】
【０００１】
本発明は、移動体通信の電界品質監視システム及びその監視方法に関する。
【背景技術】
【０００２】
移動体通信システムにおいて、基地局がカバーしている広範囲なカバー領域の電界品質及びネットワークの安定運用は、通信品質並びに通信キャパシティと密接な関係がある。このため、電界品質の監視制御は重要な課題となっている。
【０００３】
しかしながら、電界品質の監視制御は、各オペレータにとって膨大な費用が発生するため、定時的には行われていない。
【０００４】
従来、電界品質の監視制御は、例えば、各メーカより新規開発された携帯端末装置が市場に投入される前に、該携帯端末装置の通信品質を確認するため、フィールドテストを実施する際、そのフィールドテストと並行して行われていた。
【０００５】
電界品質の監視制御としては、例えば、ネットワーク側の電界品質の測定、基地局の送信パワー調整、基地局アンテナの指向性調整、並びに、それらに関連するパラメータの適切性の確認及び必要に応じた調整が行われる。
【０００６】
従来採られていたこの監視方法は、新規開発された携帯端末装置を携行し限定された特定のルートを走行しながら、携帯端末装置それぞれの品質を測定し、確認する方法である。
【０００７】
本発明に関連する先行技術文献としては、特許文献１がある。特許文献１には、無線基地局或いは端末装置に接続された無線装置により上下回線それぞれの回線品質を測定する技術が開示されている。
【特許文献１】特開２００２−０８４２３７号公報
【発明の開示】
【発明が解決しようとする課題】
【０００８】
しかしながら、従来の方法では、特定ルートを走行しながら行うため、基地局がカバーしているカバー領域における一部の場所でしか電界品質の監視が行われないという問題があった。
【０００９】
また、従来の方法では、全ての領域において、気候の変化、物理的反射波の変化（例えば新しい高層ビルが建てられることによる変化）、特定場所に行事が行われるときの通信量の急激増加などのネットワークの不安定動作などの瞬時的な電界品質の変動に対応することができず、定期的に電界品質を収集し、各地の電界を調整する必要性が生じてきた。
【００１０】
フィールドテストおいて、電界品質と電界分布とが適正であることの確証は、測定対象となる携帯端末装置の測定品質に依存するため、携帯端末装置の測定品質がよくない場合、電界品質の測定結果並びに、電界分布の測定結果の精度が低下し、測定値そのものの誤差も大きくなるという問題点がある。
【００１１】
また、フィールドテスト自体は定期的に実施されないため、たとえば、新しい測定結果を古い測定結果と比較する場合、フィールドテストが実施された日時の天気変化などにより比較結果が左右されやすいなどの問題点もある。
【００１２】
または、フィールドテストを実施する場合、正常に動いている通信トラフィックへの影響を与える可能性があるので、それを最低限するために、測定の実施或いは測定結果を報告するタイミングも考慮する必要がある。
【００１３】
本発明は、上記のような問題点を解決するためになされたもので、移動体通信システムにおける電界品質の測定を好適に行うことが可能な移動体通信の電界品質監視システム及びその監視方法を提供することを目的とする。
【課題を解決するための手段】
【００１４】
上記課題を解決するため、本発明の電界品質監視システムは、移動体通信の電界品質に関する監視を行う監視制御装置と、移動体通信のカバー領域に配置され、前記監視制御装置からの指令に応じて電界品質に関する測定を行い、その測定結果を前記監視制御装置に送信する測定機と、を備えることを特徴としている。
【００１５】
本発明の電界品質監視システムにおいては、前記監視制御装置は、前記測定結果を前記測定機から該監視制御装置に送信すべきタイミングを前記測定機に指令する一方で、前記測定機は、電界品質に関する測定結果を一時的に保存するメモリを備え、該メモリに保存された測定結果を、前記監視制御装置により指令されたタイミングで該監視制御装置に送信することが好ましい。
【００１６】
本発明の電界品質監視システムにおいては、前記監視制御装置は、通信トラフィック状態に応じて、前記測定結果を前記測定機から該監視制御装置に送信すべきタイミングを決定し、該タイミングを前記測定機に指令することが好ましい。
【００１７】
本発明の電界品質監視システムにおいては、前記監視制御装置は、前記測定機に対する指令を基地局を介して前記測定機に送信し、前記基地局は、前記監視制御装置から前記測定機への指令に関する情報を、下り送信キャリア電波の空き領域に時間多重化して前記測定機に送信することが好ましい。
【００１８】
本発明の電界品質監視システムにおいては、前記測定機は、電界品質に関する複数種類の測定を実行可能に構成され、複数種類の測定のうち前記監視制御装置により指定された測定を実行することが好ましい。
【００１９】
本発明の監視制御装置は、移動体通信の電界品質に関する監視を行う監視制御装置と、移動体通信のカバー領域に配置され、前記監視制御装置からの指令に応じて電界品質に関する測定を行い、その測定結果を前記監視制御装置に送信する測定機と、を備える移動体通信の電界品質監視システムにおける前記監視制御装置であって、前記測定結果を前記測定機から該監視制御装置に送信すべきタイミングを前記測定機に指令するように構成されていることを特徴としている。
【００２０】
本発明の監視制御装置においては、通信トラフィック状態に応じて、前記測定結果を前記測定機から当該監視制御装置に送信すべきタイミングを決定し、該タイミングを前記測定機に指令するように構成されていることが好ましい。
【００２１】
本発明の基地局は、本発明の移動体通信の電界品質監視システムにおける前記基地局であって、前記監視制御装置から前記測定機への指令に関する情報を、下り送信キャリア電波の空き領域に時間多重化する時間多重化手段を備えることを特徴としている。
【００２２】
また、本発明の測定機は、移動体通信の電界品質に関する監視を行う監視制御装置と、移動体通信のカバー領域に配置され、前記監視制御装置からの指令に応じて電界品質に関する測定を行い、その測定結果を前記監視制御装置に送信する測定機と、を備える移動体通信の電界品質監視システムにおける前記測定機であって、電界品質に関する測定結果を一時的に保存するメモリを備え、該メモリに保存された測定結果を、前記監視制御装置により指令されたタイミングで該監視制御装置に送信するように構成されていることを特徴としている。
【００２３】
また、本発明の測定機は、本発明の移動体通信の電界品質監視システムにおける前記測定機であって、下り送信キャリア電波の空き領域に時間多重化された指令に関する情報を、該下り送信キャリア電波より分離させる分離手段を備えることを特徴としている。
【００２４】
また、本発明の移動体通信の電界品質監視方法は、移動体通信の電界品質に関する監視を行う監視制御装置が、移動体通信のカバー領域に配置された測定機に対し、移動体通信の電界品質に関する測定を実行させる指令を送信する第１の過程と、前記測定機が、前記監視制御装置からの指令に応じて電界品質に関する測定を行う第２の過程と、前記測定機が、電界品質に関する測定により得られた測定結果を前記監視制御装置に送信する第３の過程と、を備えることを特徴としている。
【００２５】
本発明の移動体通信の電界品質監視方法においては、前記第１の過程により送信される指令には、前記測定結果を前記測定機から該監視制御装置に送信すべきタイミングの指令が含まれ、前記測定機は、電界品質に関する測定結果を一時的に保存し、該メモリに保存された測定結果を、前記監視制御装置により指令されたタイミングで該監視制御装置に送信することが好ましい。
【００２６】
本発明の移動体通信の電界品質監視方法においては、前記監視制御装置は、通信トラフィック状態に応じて、前記測定結果を前記測定機から該監視制御装置に送信すべきタイミングを決定し、該タイミングを前記測定機に指令することが好ましい。
【００２７】
本発明の移動体通信の電界品質監視方法においては、前記監視制御装置は、前記測定機に対する指令を基地局を介して前記測定機に送信するものであり、前記基地局は、前記監視制御装置から前記測定機への指令に関する情報を、下り送信キャリア電波の空き領域に時間多重化して前記測定機に送信することが好ましい。
【発明の効果】
【００２８】
本発明によれば、移動体通信システムのカバー領域において、容易に電界品質の測定データを収集できるため、各地点の電界の最適化、及びネットワークの保守を容易に行うことができる。気候の変化、反射波の変化、或いは、特定場所に行事が行われるときの通信量の急激な変動などより電界が悪化されるとき、測定により得られたデータに基づき電界を即時に調整することも可能になる。また、基地局による電力の送信故障が発生した場合も素早く発見もできる。
【００２９】
よって、電界品質及び電界分布を常に把握し、ネットワークの安定運用を可能とすることができる。
【００３０】
また、測定実施するタイミング、または測定結果を報告するタイミングが自由に設定できるので、通信トラフィック量が大きいときには測定実施或いは測定報告を避けることが可能となる。
【発明を実施するための最良の形態】
【００３１】
以下、図面を参照して、本発明に係る実施形態について説明する。
【００３２】
図１は本実施形態に係る移動体通信の電界品質監視システム１００の構成を示すブロック図である。
【００３３】
図１に示すように、本実施形態に係る電界品質監視システム１００は、基地局Ｂ、制御局Ｄ及び監視制御センター（監視制御装置）Ｓにより構成されたネットワークＮと、このネットワークＮの制御下で電界品質の測定を含む処理を行うテスター（測定機）Ａと、を備えて構成されている。
【００３４】
基地局ＢはＰＩＣＨデータを生成するＰＩＣＨデータ生成部（時間多重化手段）Ｂ０を備え、テスターＡに対する指令情報を、共通チャンネルであるＰＩＣＨ上で伝送する。
【００３５】
制御局Ｄは監視制御センターＳからの指令情報を、基地局Ｂを含む下属の基地局群に転送する。
【００３６】
監視制御センターＳは指令情報を出すとともに、テスターＡにより収集及び報告された電界品質情報を管理する。
【００３７】
テスターＡはネットワークＮに属する基地局Ｂがカバーしているカバー領域に設置され、監視制御センターＳからの指令情報に従い、該テスターＡの設置領域における電界品質の測定などの処理を行う。
【００３８】
テスターＡは、ＰＩＣＨ上で伝送される指令情報をＰＩＣＨ上から分離するＰＩＣＨデータ分離処理部（分離手段）Ａ０と、測定した電界品質に関するデータ（測定結果のデータ）を記憶するメモリＡ１と、を備える。
【００３９】
図２は基地局Ｂがカバーしているカバー領域におけるテスターＡの配置（分布）の一例を示す平面図である。
【００４０】
図２に示すように、基地局Ｂがカバーしているカバー領域内には、複数のテスターＡが、例えば、マトリクス状に等間隔に配置されている。
【００４１】
図３はＰＩＣＨの詳細を示す図である。
【００４２】
図３に示すように、ＰＩＣＨは例えば１ラジオフレーム（１０ｍｓ）の情報量が３００ビットで構成される。
【００４３】
既存の移動体通信システムでは、ページングインディケータ情報として、全３００ビットのうちの２８８ビット（ｂ０〜ｂ２８７）が既に使用されている。
【００４４】
残り１２ビット（ｂ２８８〜ｂ２９９）は従来は未使用（空き領域）のままであり、本実施形態では、この従来未使用の１２ビットを指令情報領域として、監視制御センターＳからの指令情報の伝送に用いる。
【００４５】
このように、従来未使用であったＰＩＣＨの１２ビットを活用するのは、既存の移動体通信システムの変更や負荷を最小限に抑えることを目的としている。
【００４６】
次に、動作を説明する。
【００４７】
ネットワークＮの監視制御センターＳから発せられる指令情報は、制御局Ｄを介して、基地局Ｂが送信する下り送信キャリア電波に乗ってセル内に送出される。指令信号の送出は、常時（例えば、１０ｍｓ毎に）行われる。
【００４８】
ここで、本実施形態の場合、基地局ＢのＰＩＣＨデータ生成部Ｂ０は、従来ＰＩＣＨにおける従来未使用の１２ビットの領域に、指令情報を時間多重化する処理を行う。
【００４９】
基地局Ｂは、このようにして生成されたＰＩＣＨデータを、下り送信キャリア電波として該基地局Ｂがカバーしているカバー領域に伝送する。
【００５０】
テスターＡは、基地局Ｂからの下り送信キャリア電波を常時（例えば、１０ｍｓ毎に）受信する。
【００５１】
テスターＡのＰＩＣＨデータ分離処理部Ａ０は、基地局Ｂから受信した下り送信キャリア電波（本実施形態の場合、ＰＩＣＨ）から、指令情報として用いられている１２ビット分を分離する。
【００５２】
そして、テスターＡは、そのＰＩＣＨデータ分離処理部Ａ０により分離された指令情報に従って電界品質の測定などの処理を実施し、測定結果をメモリＡ１に保存する。
【００５３】
また、テスターＡは、ネットワークＮ側より指示されたタイミングで上り送信キャリア電波を通して、メモリＡ１に保存されている電界品質の測定結果をネットワークＮ側に送信（報告）する。
【００５４】
ネットワークＮの監視制御センターＳは、各地に配置されたテスターＡから基地局Ｂ及び制御局Ｄを介して受けた測定結果を定期的に或いはリアルタイムに監視（分析）する。これにより、各基地局Ｂがカバーしている領域内の電波電界の分布やその変化などを常時或いは定期的に把握することが可能になる。
【００５５】
特に、天気気候による電界品質の瞬時的変化、高層ビル建設による環境変更に伴う電界品質の変化などのネットワーク安定運用の妨げがあった場合でも、常時、電界品質及び電界分布の再調整（最適化）を直ちに行うことができ、長期にわたるネットワークＮの安定運用が可能となる。
【００５６】
次に、図４乃至図６を参照して、より詳しい動作の説明を行う。
【００５７】
図４はＰＩＣＨ上の指令情報領域（１２ビット分）の内容の一例を示す図である。
【００５８】
図４に示すように、ＰＩＣＨ上の１２ビット指令内容のうち、ビット１１にはテスターＡの動作状態、ビット４〜ビット０にはテスターＡが実施する測定の種類、ビット１０〜ビット５には、テスターＡが測定を行った後にネットワークＮ側に報告するタイミングが記述される。
【００５９】
テスターＡは、ビット１１（図４における一番左側のビット）の内容（“１”か“０”か）に応じて、測定動作を一切行わない“Ｉｄｌｅ状態”と、測定動作が可能な“Ｎｏｒｍａｌ状態”と、に状態変化する。
【００６０】
すなわち、ネットワークＮ側から受ける指令情報内のビット１１が“０”であれば、テスターＡは“Ｉｄｌｅ状態”となり、測定動作は一切行わない。テスターＡのバッテリ使用時間を長くさせるため、通常は“Ｉｄｌｅ状態”となる。
【００６１】
また、ネットワークＮ側から受ける指令情報内のビット１１が“０”から“１”に変わると、テスターＡは“Ｎｏｒｍａｌ状態”に遷移する。
【００６２】
また、“Ｎｏｒｍａｌ状態”に遷移するとともに、テスターＡは、ビット４〜ビット０の値を識別し、実施すべき測定の内容を確認する。
【００６３】
テスターＡは、具体的には、例えば、図４に示すように、ビット４〜ビット０の値が“００００１”であればＲＳＣＰ、ＥｃＮ、ＲＳＳＩ値の測定を実施し、ビット４〜ビット０の値が“０００１０”であれば連続送信受信を実施して接続率を測定し、ビット４〜ビット０の値が“０００１１”であればＢＬＥＲ  ＥＲＲＯＲを測定し、ビット４〜ビット０の値が“００１００”であればＣａｌｌ  ｓｅｔｕｐ  ｔｉｍｅを測定する。
【００６４】
また、測定終了後は、テスターＡは、測定結果をメモリＡ１に一旦保存する。
【００６５】
更に、テスターＡは、ビット１０〜ビット５において指示された報告タイミングでメモリＡ１から測定結果を読み出して、該測定結果をネットワークＮ側に送信する。
【００６６】
テスターＡは、具体的には、例えば、図４に示すように、ビット１０〜ビット５の値が“００００００”であれば即時に測定結果を送信し、ビット１０〜ビット５の値が“０００００１”であれば１０ｍｓ後に送信し、ビット１０〜ビット５の値が“００００１０”であれば１００ｍｓ後に送信し、ビット１０〜ビット５の値が“００００１１”であれば１ｓ後に送信し、ビット１０〜ビット５の値が“０００１００”であれば１０ｓ後に送信し、ビット１０〜ビット５の値が“０００１０１”であれば１００ｓ後に送信し、ビット１０〜ビット５の値が“０００１１０”であれば１０００ｓ後に送信するという具合に、メモリＡ１から読み出した測定結果の送信（報告）を行う。
【００６７】
なお、テスターＡが測定結果を送信する上り送信キャリア電波は、例えば、共通チャネルのＰＲＡＣＨである。
【００６８】
図５は監視制御センターＳの動作を示すフローチャートである。
【００６９】
監視制御センターＳは、制御局Ｄ及び基地局Ｂを介して、テスターＡに対して測定指示を送信する。
【００７０】
ここで、本実施形態では、例えば、監視制御センターＳにおけるオペレータの操作に従って、各種の測定を定期的に実行する定期測定モードと、必要に応じて測定の組み合わせを変更して実行する特殊測定モードと、のうちの何れかの測定モードを実行することができるようになっている。
【００７１】
図５に示すように、監視制御センターＳは、先ず、特殊測定モードの実行要求の有無を判定する（ステップＡ０１）。
【００７２】
特殊測定要求がなければ（ステップＡ０１のＮｏ）、定期測定モードに入り、スケジュール通りにそれぞれの測定を指示を定期的に送信する（ステップＡ０２−Ａ０９）。
【００７３】
ここで、監視制御センターＳは、Ｎ個の測定項目と１対１で対応するＮ個の測定指示出力タイミング計時タイマー（第１〜第Ｎの測定指示出力タイミング計時タイマー）を備えている。
【００７４】
監視制御センターＳは、各測定指示出力タイミング計時タイマーを常時監視（ステップＡ０２、Ａ０３、Ａ０４、Ａ０５）し、各測定指示出力タイミング計時タイマーによる計時が満了するたびに、各測定指示出力タイミング計時タイマーと対応する測定の指示を送信する。
【００７５】
ここで、監視制御センターＳは実の通信トラフィック状態を常に把握し、通信量のことを考慮して測定結果を報告するタイミングを決定し、そのタイミングに応じて各測定指示出力タイミング計時タイマーのタイマー値（計時が満了する時間）を設定する。
【００７６】
第１の測定指示出力タイミング計時タイマーが満了すると（ステップＡ０２のＹｅｓ）、監視制御センターＳは電界（ＲＳＣＰ、ＥｃＮ、ＲＳＳＩ）測定実施を制御局Ｄ、基地局Ｂを通してテスターＡに指示し、その後第１の測定指示出力タイミング計時タイマーをクリアし該第１の測定指示出力タイミング計時タイマーによる計時を再開させる（ステップＡ０６）。
【００７７】
同様に、第２の測定指示出力タイミング計時タイマーが満了すると（ステップＡ０３のＹｅｓ）、連続送信受信による接続率の測定実施をテスターＡに指示し、その後第２の測定指示出力タイミング計時タイマーをクリアし該第２の測定指示出力タイミング計時タイマーによる計時を再開させる（ステップＡ０７）。
【００７８】
同様に、第３の測定指示出力タイミング計時タイマーが満了すると（ステップＡ０４のＹｅｓ）、ＢＬＥＲ  ＥＲＲＯＲ測定の実施をテスターＡに指示し、その後第３の測定指示出力タイミング計時タイマーをクリアし該第３の測定指示出力タイミング計時タイマーによる計時を再開させる（ステップＡ０８）。
【００７９】
同様に、第４の測定指示出力タイミング計時タイマーが満了すると（ステップＡ０５のＹｅｓ）、ＣＡＬＬ  Ｓｅｔｕｐ  Ｔｉｍｅ測定の実施をテスターＡに指示し、その後第４の測定指示出力タイミング計時タイマーをクリアし該第４の測定指示出力タイミング計時タイマーによる計時を再開させる（ステップＡ０９）。
【００８０】
このように、定期測定モードの場合には、監視制御センターＳはテスターＡに対して定期的に測定指示を送出する。
【００８１】
一方、特殊測定要求がある場合は（ステップＡ０１のＹｅｓ）、特殊測定モードに入る。
【００８２】
特殊測定モードでは、例えば、要求された測定項目に電界（ＳＣＰ、ＥｃＮ、ＲＳＳＩ）の測定が含まれている場合（ステップＡ１０のＹｅｓ）、監視制御センターＳは該当する測定指令をテスターＡに送信する（ステップＡ１４）。
【００８３】
同様に、要求された測定項目に連続送信受信による接続率の測定が含まれている場合（ステップＡ１１のＹｅｓ）、監視制御センターＳは該当する測定指令をテスターＡに送信する（ステップＡ１５）。
【００８４】
同様に、要求された測定項目にＢＬＥＲ  ＥＲＲＯＲ測定が含まれている場合（ステップＡ１２のＹｅｓ）、監視制御センターＳは該当する測定指令をテスターＡに送信する（ステップＡ１６）。
【００８５】
同様に、要求された測定項目にＣＡＬＬ  Ｓｅｔｕｐ  Ｔｉｍｅ測定が含まれている場合（ステップＡ１３のＹｅｓ）、監視制御センターＳは該当する測定指令をテスターＡに送信する（ステップＡ１７）。
【００８６】
なお、監視制御センターＳは、特殊測定モードにおいてテスターＡに対して測定指示を送信する際（ステップＡ１４〜Ａ１７など）には、実の通信トラフィック状態に応じた報告タイミング（測定結果の報告タイミング）を指示する情報（基地局ＢのＰＩＣＨデータ生成部Ｂ０により生成されるＰＩＣＨデータの指令情報領域におけるビット１０〜５に反映される情報）も送信する。
【００８７】
図６はテスターＡの動作を示すフローチャートである。
【００８８】
テスターＡはＮ個の測定項目と１対１で対応する第１〜第Ｎの測定報告タイミング計時タイマーを備えている。
【００８９】
テスターＡは、各測定報告タイミング計時タイマーを常時監視（ステップＢ０１）し、何れかの測定報告タイミング計時タイマーによる計時が満了する（ステップＢ０１のＹｅｓ）たびに、計時が満了した測定報告タイミング計時タイマーと対応する測定結果をメモリＡ１より読み出してネットワークＮ側に送信（報告）し（ステップＢ０２）、計時が満了した測定報告タイミング計時タイマーをクリアする（ステップＢ０３）。
【００９０】
何れの測定報告タイミング計時タイマーによる計時も満了しない（ステップＢ０１のＮｏ）間は、常時受信されるＰＩＣＨの指令情報領域のビット１１をチェックする（ステップＢ０４）。
【００９１】
ビット１１が“０”の場合（ステップＢ０５のＮｏ）、新規測定指示がないことを意味するので、テスターＡは“Ｉｄｌｅ状態”を継続し、ステップＢ０１からの処理を繰り返す。
【００９２】
他方、ビット１１が“１”の場合（ステップＢ０５のＹｅｓ）、テスターＡは“Ｎｏｒｍａｌ状態”に移行し、ビット４〜ビット０の内容を確認（ステップＢ０６）した上で、要求された測定を実施する。
【００９３】
具体的には、例えば、ビット４〜０が“００００１”であれば（ステップＢ０７のＹｅｓ）、電界（ＲＳＣＰ、ＥｃＮ、ＲＳＳＩ値）の測定要求であるので、該測定を実施する（ステップＢ０６）。
【００９４】
同様に、例えば、ビット４〜０が“０００１０”であれば（ステップＢ０９のＹｅｓ）、連続送信受信による接続率の測定要求であるので、該測定を実施する（ステップＢ１０）。
【００９５】
同様に、例えば、ビット４〜０が“０００１１”であれば（ステップＢ１１のＹｅｓ）、ＢＬＥＲ  ＥＲＲＯＲの測定要求であるので、該測定を実施する（ステップＢ１２）。
【００９６】
なお、ビット４〜ビット０が“０００００”である場合は、テスターＡは“Ｎｏｒｍａｌ状態”にいながら何も測定動作を行わない。
【００９７】
また、テスターＡは、要求された各測定を行った後は、その測定結果をメモリＡ１に保存する（ステップＢ１３）。
【００９８】
続いて、テスターＡは、ＰＩＣＨの指令情報領域のビット１０〜ビット５の内容を確認し、該ビット１０〜５により指定されたタイミングで測定結果をネットワークＮ側に送信するために、新たにメモリＡ１に保存された測定結果と対応する測定報告タイミング計時タイマーのタイマー値をセットし、該測定報告タイミング計時タイマーによる計時を開始する（ステップＢ１４）。ここで、例えば、ビット１０〜５の値が“００００００”であれば該当する測定報告タイミング計時タイマーのタイマー値を０ｓにセットし、同様に、ビット１０〜５の値が“０００００１”であれば該当する測定報告タイミング計時タイマーのタイマー値を１０ｍｓにセットし、ビット１０〜５の値が“００００１０”であれば該当する測定報告タイミング計時タイマーのタイマー値を１００ｍｓにセットし、ビット１０〜５の値が“００００１１”であれば該当する測定報告タイミング計時タイマーのタイマー値を１ｓにセットし、ビット１０〜５の値が“０００１００”であれば該当する測定報告タイミング計時タイマーのタイマー値を１０ｓにセットし、ビット１０〜５の値が“０００１１０”であれば該当する測定報告タイミング計時タイマーのタイマー値を１０００ｓにセットする。
【００９９】
その後、先に説明したステップＢ０１−Ｂ０３の動作を行うことにより、ネットワークＮ側から指定されたタイミングで該当する測定結果をネットワークＮ側に送信されることになる。
【０１００】
以上のような実施形態によれば、電界品質の測定データを周期的或いはリアルタイムに収集できるため、各地点の電界の最適化及びネットワークの保守を容易に行うことが可能になる。気候の変化、反射波の変化、或いは、特定場所で行事が行われるときの通信量の急激な変動などより電界が悪化されるときに、測定により得られたデータに基づき電界を即時に調整することも可能になる。
【０１０１】
また、定期的な測定実施することにより、新しい測定結果を古い測定結果と比較することもできるため、結果が実施日時の天気変化などの影響を受けにくいようにできる。
【０１０２】
また、基地局による電力の送信故障が発生した場合に素早く発見することもできる。
【０１０３】
また、測定実施するタイミングや測定結果を報告するタイミングを自由に設定できるので、通信トラフィック量が大きいときには測定実施或いは測定報告を避けることが可能となる。
【０１０４】
このように、電界品質及び電界分布を常に把握し、ネットワークの安定運用を可能とすることができる。
【０１０５】
また、共通チャンネルのＰＩＣＨの未使用ビット部分を利用することにより、現行の移動体通信システムの運用に負荷を与えないようにできる。
【０１０６】
なお、上記の実施形態では、下り送信キャリア電波が共通チャンネルのＰＩＣＨである例を説明したが、他のチャンネルの電波を用いても良い。例えば共通チャンネルのＳＣＣＰＣＨ（ＦＡＣＨ）や、ＳＣＣＰＣＨ（ＰＣＨ）や、個別チャンネルのＤＰＤＣＨであっても良い。
【図面の簡単な説明】
【０１０７】
【図１】実施形態に係る移動体通信の電界品質監視システムの構成を示すブロック図である。
【図２】基地局がカバーしているカバー領域におけるテスターの配置（分布）の一例を示す平面図である。
【図３】ＰＩＣＨの詳細を示す図である。
【図４】ＰＩＣＨ上の指令情報領域の内容の一例を示す図である。
【図５】監視制御センターの動作を示すフローチャートである。
【図６】テスターの動作を示すフローチャートである。
【符号の説明】
【０１０８】
Ａ    テスター（測定機）
Ａ１  メモリ
Ａ０  ＰＩＣＨデータ分離処理部（分離手段）
Ｓ    監視制御センター（監視制御装置）
Ｂ    基地局
Ｂ０  ＰＩＣＨデータ生成部（時間多重化手段）
１００  電界品質管理システム
【図１】
2007266906.tif 000003
【図２】
2007266906.tif 000004
【図３】
2007266906.tif 000005
【図４】
2007266906.tif 000006
【図５】
2007266906.tif 000007
【図６】
2007266906.tif 000008